(57)【特許請求の範囲】
【請求項１】
電話装置を有するＬＡＮシステムを備えて、ＶｏＩＰ接続制御、及び音声通信ネットワークの接続制御を実行する通信ネットワークにおける音声通信の接続制御方法において、
電話装置をそれぞれ収容しているＬＡＮシステムの規制情報として、特定のＬＡＮシステムについて特定の時間帯における電話装置の呼接続数の制限及び特定の時間帯における電話装置の呼接続停止を設定する段階と、
次に、呼接続要求を受け取った際に複数のＬＡＮシステムのそれぞれに接続された電話装置を識別する段階と、
前記規制情報を識別する段階と、
さらに、前記規制情報に基づいて呼接続要求が行われた電話装置への呼接続の可否を決定する段階と、
この呼接続の可否に基づいた呼接続制御を実行する段階と、
を有することを特徴とする通信ネットワークにおける音声通信の接続制御方法。
【請求項２】
前記ＶｏＩＰ接続制御として、
ＩＴＵ−Ｔ勧告のＨ．３２３プロトコルによる音声通信を実行することを特徴とする請求項１に記載の通信ネットワークにおける音声通信の接続制御方法。
【請求項３】
ＶｏＩＰ接続制御を実行するためのゲートキーパ装置及び音声ネットワークとの接続制御を実行するゲートウェイ装置とともに、音声入出力装置を有するＬＡＮシステムを備えた通信ネットワークにおける音声通信の接続制御を実行する音声通信接続制御システムにあって、
前記ゲートキーパ装置が、
前記音声入出力装置をそれぞれ収容しているＬＡＮシステムの電話装置における、特定のＬＡＮシステムについて特定の時間帯における電話装置の呼接続数の制限及び特定の時間帯における電話装置の呼接続停止の規制情報を設定し、かつ、
呼接続要求を受け取った際に複数のＬＡＮシステムのそれぞれに接続された前記音声入出力装置を識別するとともに、
前記規制情報を識別して呼接続の可否を決定し、この可否に基づいた呼接続制御を実行する、
ことを特徴とする音声通信接続制御システム。
【請求項４】
前記音声入出力装置を有する複数のＬＡＮシステムの少なくとも一つがゲートウェイ装置に接続される電話網であり、
この電話網に音声入出力装置としての電話機が収容されたことを特徴とする請求項３に記載の音声通信接続制御システム。
【請求項５】
前記呼接続の可否に基づいた呼接続制御が、
接続制御を実行し、又は、接続不可の応答送信の制御であることを特徴とする請求項３に記載の音声通信接続制御システム。
【請求項６】
音声入出力装置をそれぞれ収容しているＬＡＮシステムの電話装置における、特定のＬＡＮシステムについて特定の時間帯における電話装置の呼接続数の制限及び特定の時間帯における電話装置の呼接続停止の規制情報を設定する処理と、
呼接続要求を受け取った際に複数のＬＡＮシステムのそれぞれに接続された前記音声入出力装置を識別する処理と、
前記規制情報を識別して呼接続の可否を決定するとともに、この可否に基づいた呼接続制御を実行する処理と、
の制御をコンピュータが実行するためのプログラムを格納したことを特徴とする情報記録媒体。
【請求項７】
前記呼接続の可否に基づいた呼接続制御として、
接続制御を実行し、又は、接続不可の応答送信の制御を実行する処理の制御をコンピュータが実行するためのプログラムを格納したことを特徴とする請求項６に記載の情報記録媒体。
【発明の詳細な説明】
【０００１】
【発明の属する技術分野】
本発明は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）  環境下のコンピュータ双方向通信網（イントラネット、インターネット、エキストラネット等、以下、インターネットのみで示す）を通じて、データ通信ともに、例えば、ローカルエリアネットワーク（ＬＡＮ）間に収容された電話端末間や、ＬＡＮと電話網とに収容された電話端末間の接続制御を実行するための通信ネットワークにおける音声通信の接続制御方法及びその通信システム並びに情報記録媒体に関する。
【０００２】
【従来の技術】
従来、ＬＡＮとＬＡＮの間、又はＬＡＮと電話網とに収容された電話端末間における電話通話では、データ通信の最繁時であっても、伝送速度が速い（伝送帯域が広い）音声通信の呼接続制御を実行している。この場合、音声通信の呼接続制御のためのデータ送受信によって、データ伝送速度に影響を与えることがある。
【０００３】
このデータ伝送速度の影響としては、呼接続制御によって、データ伝送速度が低下したり、データ転送待ち（バッファリング）による転送中断が発生することがある。このため、音声通信における音声品質が劣化し易い。
【０００４】
このような対策にかかる改善案の例として特開平２０００−２２４２３９号公報の「インターネット電話接続方法、伝送帯域管理装置及びゲートキーバ装置」例が知られている。この従来例では、伝送帯域の予約設定をネットワーク全体で統括的に実施し、ゲートキーパ装置やゲートウェイ装置の制御を通じて一定のデータ転送・電話通話の品質を確保している。
【０００５】
ゲートキーパ装置はＶｏＩＰ（Ｖｏｉｃｅ  ｏｆ  Ｉｎｔｅｒｎｅｔ  Ｐｒｏｔｏｃｏｌ）機能に関する動作（接続制御）を実行し、また、ゲートウェイ装置は、既存音声ネットワークとの接続制御を実行する。ゲートキーパ装置は、ネットワーク上で既存ＶｏＩＰ技術、例えば、Ｈ．３２３プロトコル（ＩＴＵ−Ｔ：Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ勧告）によって、音声通信を実行している。
【０００６】
【発明が解決しようとする課題】
このような上記従来例では、次のような不都合が考えられる。
（１）音声通信をＬＡＮシステム上で実現するものでないため、ＬＡＮシステムのデータ通信量の多い時間帯において、伝送速度が速い音声通信を規制（例えば、時間帯での呼接続の制限、電話装置の接続数の制限、時間帯での呼接続停止、電話装置の呼接続停止）することが出来ない。したがって、データ通信に使用する伝送帯域が確保されずに、安定したデータ通信が出来なくなる。
【０００７】
（２）ＬＡＮシステムでの音声通信における呼接続数や停止の規制が出来ない。したがって、音声伝送帯域を制御できずに、通話音声の音質が劣化し易い。
【０００８】
本発明は、このような従来の技術における課題を解決するものであり、音声通信をＬＡＮシステム上で実現する際に、データ通信の多い時間帯において、伝送速度が速い音声に対する規制が出来るようになり、データ通信の使用伝送帯域が確保されて、安定したデータ通信が可能になる通信ネットワークにおける音声通信の接続制御方法及びその通信システム並びに情報記録媒体の提供を目的とする。
【０００９】
また、本発明は、ＬＡＮ接続における音声通信を規制し、その音声通信に使用する伝送帯域の制御を可能とし、音声通信の音質劣化を防止できる通信ネットワークにおける音声通信の接続制御方法及びその通信システム並びに情報記録媒体の提供を他の目的とする。
【００１０】
【課題を解決するための手段】
上記課題を達成するために、本発明の通信ネットワークにおける音声通信の接続制御方法は、電話装置を有するＬＡＮシステムを備えて、ＶｏＩＰ接続制御、及び音声通信ネットワークの接続制御を実行するものであり、電話装置をそれぞれ収容しているＬＡＮシステムの規制情報として、特定のＬＡＮシステムについて特定の時間帯における電話装置の呼接続数の制限及び特定の時間帯における電話装置の呼接続停止を設定する段階と、次に、呼接続要求を受け取った際に複数のＬＡＮシステムのそれぞれに接続された電話装置を識別する段階と、前記規制情報を識別する段階と、さらに、規制情報に基づいて呼接続要求が行われた電話装置への呼接続の可否を決定する段階と、この呼接続の可否に基づいた呼接続制御を実行する段階とを有することを特徴としている。
【００１１】
このように本発明の方法は、規制情報として、（ａ）時間帯での呼接続の制限、（ｂ）電話装置の接続数の制限、（ｃ）時間帯での呼接続停止、（ｄ）電話装置の呼接続停止、の規制情報を設定することを特徴としている。
【００１２】
本発明の方法は、前記ＶｏＩＰ接続制御として、ＩＴＵ−Ｔ勧告のＨ．３２３プロトコルによる音声通信を実行することを特徴としている。
【００１３】
本発明の音声通信接続制御システムは、ＶｏＩＰ接続制御を実行するためのゲートキーパ装置及び音声ネットワークとの接続制御を実行するゲートウェイ装置とともに、音声入出力装置を有するＬＡＮシステムを備えた通信ネットワークにおける音声通信の接続制御を実行するものであり、ゲートキーパ装置が、音声入出力装置をそれぞれ収容しているＬＡＮシステムの電話装置における、特定のＬＡＮシステムについて特定の時間帯における電話装置の呼接続数の制限及び特定の時間帯における電話装置の呼接続停止の規制情報を設定し、かつ、呼接続要求を受け取った際に複数のＬＡＮシステムのそれぞれに接続された音声入出力装置を識別するとともに、前記規制情報を識別して呼接続の可否を決定し、この可否に基づいた呼接続制御を実行する構成としたことを特徴としている。
【００１４】
本発明のシステムは、前記音声入出力装置を有する複数のＬＡＮシステムの少なくとも一つがゲートウェイ装置に接続される電話網であり、この電話網に音声入出力装置としての電話機が収容されたことを特徴としている。
【００１５】
本発明のシステムは、前記呼接続の可否に基づいた呼接続制御が、接続制御を実行し、又は、接続不可の応答送信の制御であることを特徴としている。
【００１６】
本発明の情報記録媒体は、音声入出力装置をそれぞれ収容しているＬＡＮシステムの電話装置における、特定のＬＡＮシステムについて特定の時間帯における電話装置の呼接続数の制限及び特定の時間帯における電話装置の呼接続停止の規制情報を設定する処理と、呼接続要求を受け取った際に複数のＬＡＮシステムのそれぞれに接続された音声入出力装置を識別する処理と、前記規制情報を識別して呼接続の可否を決定するとともに、この可否に基づいた呼接続制御を実行する処理との制御をコンピュータが実行するためのプログラムを格納したことを特徴としている。
【００１７】
本発明の情報記録媒体は、前記呼接続の可否に基づいた呼接続制御として、接続制御を実行し、又は、接続不可の応答送信の制御を実行する処理の制御をコンピュータが実行するためのプログラムを格納したことを特徴としている。
【００１８】
このような本発明の通信ネットワークにおける音声通信の接続制御方法及びその通信システム並びに情報記録媒体は、音声通信をＬＡＮシステム上で実現する際に、ＬＡＮシステムごとの電話装置における規制情報を実行している。
【００１９】
すなわち、データ通信の多い時間帯において、伝送速度が速い音声通信に対する規制制御（ＬＡＮシステムごとの電話装置における時間帯での呼接続の制限、電話装置の接続数の制限、時間帯での呼接続停止、電話装置の呼接続停止の規制情報による制御）を実行できるようになる。したがって、データ通信の使用伝送帯域が確保されることになり、安定したデータ通信が行われる。
【００２０】
また、本発明は、前記したＬＡＮ接続における音声通信に対する規制制御を実行し、音声通信に使用する伝送帯域制御が実行される。したがって、音声通信の音質劣化を阻止できるようになる。
【００２１】
【発明の実施の形態】
次に、本発明の通信ネットワークにおける音声通信の接続制御方法及びその通信システム並びに情報記録媒体の実施の形態を図面参照の上、詳細に説明する。
図１は本発明の実施形態における構成を示すブロック図である。
図１の実施形態は、その通信ネットワークの概略として、三つのＬＡＮシステム１，２，３を有し、例えば、Ｈ．３２３プロトコル（ＩＴＵ−Ｔ勧告）による音声通信ネットワークが構築されている。さらに、ＬＡＮシステム１には、既設（例えば、ＰＳＴＮ，ＩＳＤＮ）の電話ネットワーク１６が接続されている。
【００２２】
また、複数のＬＡＮシステム１，２，３は、ネットワーク接続装置であるルータ４，５，６を通じて通信ネットワーク１７に接続されている。ＬＡＮシステム１が、既設の電話ネットワーク１６に接続され、かつ、電話ネットワーク１６に多数の電話機１５が収容されている。
【００２３】
ＬＡＮシステム１では、ＶｏＩＰ（Ｖｏｉｃｅ  ｏｆ  Ｉｎｔｅｒｎｅｔ  Ｐｒｏｔｏｃｏｌ）機能に関する動作（接続制御）を実行するための装置であるゲートキーパ装置７、及び既設の音声ネットワークとの接続を制御するＶｏＩＰゲートウェイ装置８とともに、音声入出力手段としてのＬＡＮ電話装置９，１０がＬＡＮ通信路に接続されている。
ＬＡＮシステム２では、ＬＡＮ電話装置１１，１２がＬＡＮ通信路に接続され、また、ＬＡＮシステム３では、ＬＡＮ電話装置１３，１４がＬＡＮ通信路に接続されている。
【００２４】
図１に示すゲートキーパ装置７は、Ｈ．３２３プロトコル（ＩＴＵ−Ｔ勧告）において、複数のＶｏＩＰゲートウェイ装置８を管理し、その制御を実行するものである。すなわち、統括するゾーン内の複数のＶｏＩＰゲートウェイ装置８を管理するとともに、ＩＰ（Ｉｎｔｅｒｎｅｔ  Ｐｒｏｔｏｃｏｌ）  端末、又は、ＶｏＩＰゲートウェイ装置８からの呼接続設定の要求に対して、接続先のＶｏＩＰゲートウェイ装置８の選択、発信者認証及びアドミッション制御、通話伝送帯域の割り当てなどの制御を実行する。
【００２５】
また、図１に示すＶｏＩＰゲートウェイ装置８は、Ｈ．３２３プロトコル（ＩＴＵ−Ｔ勧告）において、電話網とインターネットのインターワーキングファンクションとの間の呼制御プロトコルと音声データを変換する制御を実行する。
【００２６】
なお、ゲートキーパ装置７及びＶｏＩＰゲートウェイ装置８は、それぞれに、図示しないＣＰＵが、前記した制御を実行する。このゲートキーパ装置７及びＶｏＩＰゲートウェイ装置８による制御は、前記した接続制御を実行するのためのプログラムを格納したＲＯＭやワーキング処理をＲＡＭなど用いて実行する。また、ゲートキーパ装置７及びＶｏＩＰゲートウェイ装置８は、回線の接続を終端する処理を行うデジタル終端処理装置なども備えている。
【００２７】
このような構成のゲートキーパ装置７では、ＬＡＮ電話装置９〜１４をそれぞれ収容しているＬＡＮシステム１〜３の接続呼数を予め設定する。この設定は、例えば、遠隔地から通信プロトコルやプロトコルを実行してデータ処理端末から設定する。
【００２８】
また、ゲートキーパ装置７は、「データ通信の多い時間帯において、伝送速度が速い音声通信に対する規制」の制御を実行する。この制御を実行するゲートキーパ装置７には、そのプログラムを、例えば、流通性を備えたパッケージソフトウェアとしてのフラッシュメモリ、外部記憶媒体をもってダウンロードしてインストールすることになる。
【００２９】
前記した「データ通信の多い時間帯において、伝送速度が速い音声通信に対する規制」は、以下の（ａ）から（ｄ）である。
（ａ）時間帯での呼接続の制限
（ｂ）電話装置の接続数の制限
（ｃ）時間帯での呼接続停止
（ｄ）電話装置の呼接続停止
【００３０】
なお、図１では音声通信に関する構成のみを図示した。例えば、ＬＡＮにおける遠隔手続き制御（ＲＰＣ：Ｒｅｍｏｔｅ  Ｐｒｏｃｅｄｕｒｅ  Ｃａｌｌ）  を実行するためのＬＡＮサーバ及び、データ端末（例えば、小型汎用コンピュータ）については、その図示を省略した。
【００３１】
次に、この実施形態の構成による動作について説明する。
この実施形態の動作の概要について説明する。
ここでは、三つのＬＡＮシステム１〜３を有し、既存ＶｏＩＰ技術、例えば、Ｈ．３２３プロトコル（ＩＴＵ−Ｔ勧告）により音声通信を実行する。
【００３２】
（１）ゲートキーパ装置７では、ＬＡＮ電話装置９〜１４をそれぞれに収容しているＬＡＮシステム１〜３ごとの接続呼数を予め設定する。
（２）ゲートキーパ装置７では、接続呼数と時間帯とを対応付けて予め設定する。
（３）呼接続要求を受け取ったゲートキーパ装置７は、ＬＡＮシステム１〜３に接続されているＬＡＮ電話装置９〜１４を識別する。
【００３３】
（４）この後、ゲートキーパ装置７は、ＬＡＮ電話装置９〜１４をそれぞれ収容しているＬＡＮシステム１〜３ごとの接続呼数を識別する。
（５）さらに、ゲートキーパ装置７は、ＬＡＮ電話装置９〜１４をそれぞれに収容しているＬＡＮシステム１〜３ごとの接続呼数を識別するとともに、この時間帯を識別する。
（６）ゲートキーパ装置７は、前記で識別した「データ通信の多い時間帯において、伝送速度が速い音声通信に対する規制」の制御を実行する。
【００３４】
次に、この動作を詳細に説明する。
図１に示すゲートキーパ装置７及びＶｏＩＰゲートウェイ装置８を備えたネットワーク構成では、ゲートキーパ装置７を通じた制御によって、ＬＡＮシステム１〜３におけるＬＡＮ電話装置９〜１４の間が接続されて、その音声通話を行う。
【００３５】
また、図１に示す構成では、ＶｏＩＰゲートウェイ装置８を通じた制御によって、電話ネットワーク１６に接続された電話機１５と、ＬＡＮシステム１〜３のＬＡＮ電話装置９〜１４のいずれかとが接続されて、その音声通信を行う。
【００３６】
（１）第１実施形態
図２は第１実施形態の動作を説明するための図であり、図３はＬＡＮシステムを識別するデータを説明するための図である。また、図４はゲートキーパ装置７が実行する制御手順を示すフローチャートであり、図５はＬＡＮシステム２に関する規制情報（この例では、接続呼数と、この接続呼数に対応付けた時間帯の規制情報による呼接続の可否）を説明するための図である。
【００３７】
図２において、ここではＬＡＮシステム１，２にそれぞれ接続されたＬＡＮ電話装置９，１１の間が、ゲートキーパ装置７を経由する制御で既に接続されており、その音声通信を実施している。この音声通信の実施中に、ＬＡＮシステム２のＬＡＮ電話装置１２が、ＬＡＮシステム３のＬＡＮ電話装置１３に接続を開始するため接続要求を実行する。
なお、この接続要求は、ＬＡＮ電話装置１３からＬＡＮ電話装置１２に接続要求を行っても、基本的には同じ動作となる。
【００３８】
この場合、接続要求コマンドをＬＡＮシステム２のＬＡＮ電話装置１２からルータ５、通信ネットワーク１７及びＬＡＮシステム１のルータ４を通じてゲートキーパ装置７に送信し、ＬＡＮ電話装置１２とＬＡＮ電話装置１３との間のが電話通信接続が開始される。
なお、ここで発呼側のＬＡＮシステム２を識別しているが、着呼側のＬＡＮシステム３を識別してもよく、また、ＬＡＮシステム２，３の両方を識別してもよい。
【００３９】
この電話通信接続の開始において、ゲートキーパ装置７は、ＬＡＮ電話装置１２での呼接続要求から、通話相手先がＬＡＮ電話装置１３であることを識別する。そして、ＬＡＮ電話装置１２が接続されているＬＡＮシステム２を、図３に示すデータもって識別する。この識別では、ＬＡＮシステム１〜３ごとに、ＬＡＮ電話装置９，１０／１１，１２／１３，１４が対応付けられたデータを用いる。なお、このデータは、ゲートキーパ装置７の図示しないメモリなどに格納されている。
【００４０】
ゲートキーパ装置７は、図３に示したデータで識別（ＬＡＮシステム１〜３ごとのＬＡＮ電話装置９，１０／１１，１２／１３，１４の対応）に基づいて、図４に示すフローチャートの制御手順を実行する。
【００４１】
図４を参照すると、まず、ゲートキーパ装置７が、前記のようにＬＡＮシステム２を識別する（ステップＳ１）  。次に、ゲートキーパ装置７が、この識別したＬＡＮシステム２に関する情報、すなわち、図５に示す情報から、接続状態の情報を得る（ステップＳ２）  。例えば、ゲートキーパ装置７は、ＬＡＮシステム２に関する図５に格納している規制情報から、現在の時刻から、設定されている時間帯及び接続数を判定し、その接続数の増加が可能かを判断する。ステップＳ３）  。
【００４２】
図５に示すＬＡＮシステム２における規制情報では、ゲートキーパ装置７の図示しないメモリなどに格納されており、この例のＬＡＮシステム２では、「００：００−１０：００，１０：００−１４：００，１４：００−００：００」の三つの時間帯ごとに、そのＬＡＮ電話装置の接続数が対応付けて格納されている。例えば、「１０：００−１４：００」の時間帯では、そのＬＡＮ電話装置の接続数が「１」である。換言すれば、データ通信における伝送量（トラフィック量）が多く、電話通話の呼接続数の制限や停止の規制制御を実行している。
【００４３】
なお、この図５に示すＬＡＮシステム２における規制情報と同様の規制情報が、他のＬＡＮシステム１，３にも設定されて、その呼接続制御を実行する。
【００４４】
このステップＳ３において接続不可と判定された場合、（Ｓ３：Ｎｏ）、接続要求を行ったＬＡＮ電話装置１３に対して、接続不可の応答をルータ４、通信ネットワーク１７、及びルータ５を通じて行う（ステップＳ４）。
【００４５】
また、ステップＳ３で、接続可と判定された場合、（Ｓ３：Ｙｅｓ）、ゲートキーパ装置７は、ＬＡＮ電話装置１３とＬＡＮ電話装置１２との接続制御を実行し、このＬＡＮ電話装置１３とＬＡＮ電話装置１２とが音声通信を開始できるようになる（ステップＳ５）。
【００４６】
このように、この第１実施形態では、伝送速度が速い音声通信をＬＡＮシステム１，２，３上で実現する場合に、データ通信の多い時間帯において、伝送速度が速い音声通信における規制制御を実行している。すなわち、「データ通信の多い時間帯において、伝送速度が速い音声通信に対する規制」の制御を実行できるようになる。したがって、そのデータ通信に使用する伝送帯域が確保されて、安定したデータ通信が可能になる。
【００４７】
さらに、ＬＡＮ接続における音声通信における規制制御を実行しているため、音声通信に使用する伝送帯域の制御が可能になる。この結果、音声通信におけ音質が確保できるようになる。
【００４８】
（２）第２実施形態
図６は、他の実施形態の動作を説明するための図である。
図６において、ＬＡＮシステム１，２にそれぞれ接続されたＬＡＮ電話装置９，１１の間が、ゲートキーパ装置７を通じた制御で既に接続されており、その音声通信を実施している。この後、電話ネットワーク１６に接続されている電話機１５が、ＬＡＮシステム１のＶｏＩＰゲートウェイ装置８、ゲートキーパ装置７、ルータ４を通じ、かつ、通信ネットワーク１７、及びＬＡＮシステム２のルータ５を通じてＬＡＮ電話装置１２に接続を行うための呼接続要求を行う。
【００４９】
この電話通信接続では、第１実施形態と同様にして、ゲートキーパ装置７が、電話機１５の呼接続要求から通話相手先がＬＡＮ電話装置１２であることを識別し、ＬＡＮ電話装置１２が接続されているＬＡＮシステム２を、図３に示すデータで識別する。ゲートキーパ装置７は、図３に示したデータに基づいて図４に示すフローチャートの制御手順を実行する。
【００５０】
この動作の処理手順では、前記した図５に示す規制情報によって、ＬＡＮシステム２の接続可否を判定する。ここで、接続可と判定された場合は、ゲートキーパ装置７は、電話機１５とＬＡＮ電話装置１２の接続制御を実行して音声通信を開始するが、ＬＡＮシステム２の接続不可の場合、すなわち、ＬＡＮシステム２が、図５に示すように「１０：００−１４：００」の時間帯では、そのＬＡＮ電話装置の接続数が「１」であり、既にＬＡＮ電話装置１１が、ＬＡＮシステム１のＬＡＮ電話装置９と電話通信を実行中であるため、その接続を実行しないことになる。
【００５１】
このように、この第２実施形態でも、第１実施形態と同様にして、データ通信の多い時間帯において、伝送速度が速い音声通信に対する規制制御を実行できるようになる。また、音声通信に使用する伝送帯域制御が可能になるため、音声通信における音質が確保できるようになる。
【００５２】
また、上記した第１及び第２実施形態では、音声通信を行うＬＡＮ電話装置９〜１４及び電話機１５をもって説明したが、音声入出力装置、例えば、音声伝送帯域データ（画像データ）を伝送するファクシミリ機にもそのまま適用できる。
【００５３】
【発明の効果】
以上の説明から明らかなように、本発明の通信ネットワークにおける音声通信の接続制御方法及びその通信システム並びに情報記録媒体によれば、音声通信をＬＡＮシステム上で実現する際に、ＬＡＮシステムごとの電話装置における規制情報（時間帯での呼接続の制限、電話装置の接続数の制限、時間帯での呼接続停止、電話装置の呼接続停止の規制情報）による制御を実行している。
【００５４】
この結果、データ通信の多い時間帯において、伝送速度が速い音声通信における規制制御を実行できるようになり、データ通信の使用伝送帯域が確保されて、安定したデータ通信が可能になるという効果がある。
【００５５】
また、本発明は、ＬＡＮ接続における音声通信における規制情報に基づいた制御を実行し、音声通信に使用する伝送帯域制御が実行される。
【００５６】
この結果、音声通信の音質劣化を阻止できるようになるという効果がある。
【図面の簡単な説明】
【図１】本発明の第１実施形態における構成を示すブロック図である。
【図２】第１実施形態の動作を説明するための図である。
【図３】第１実施形態にあってＡＮネットワークを識別するデータを説明するための図である。
【図４】第１実施形態にあってゲートキーパ装置が実行する制御手順を示すフローチャートである。
【図５】第１実施形態にあってＬＡＮシステムの規制情報を説明するための図である。
【図６】他の実施形態の動作を説明するための図である。
【符号の説明】
１〜３  ＬＡＮシステム
７  ゲートキーパ装置
８  ＶｏＩＰゲートウェイ装置
９〜１４  ＬＡＮ電話装置
１５  電話機
１６  電話ネットワーク
【図１】
0003570986.tif 000002
【図２】
0003570986.tif 000003
【図３】
0003570986.tif 000004
【図４】
0003570986.tif 000005
【図５】
0003570986.tif 000006
【図６】
0003570986.tif 000007